(57)【要約】【課題】移動体通信端末でＴＶ信号を再生している間に、移動体通信端末の電池の蓄積量が不足した場合に、蓄積量が不足した後のＴＶ信号の内容を、移動体通信端末のユーザが鑑賞できるようにする。【解決手段】所定のチャンネルを用いて放送されている信号を受信して再生する移動体通信端末と、放送局から放送されている信号を受信して保存できるサーバとを用いた移動体通信方法において、移動体通信端末が前記放送局から受信した信号を再生している間に、移動体通信端末の電池が所定の蓄積量を下回ったことを、移動体通信端末で検出する検出ステップと、この検出ステップに応じて、移動体通信端末の受信しているチャンネル情報を、移動体通信端末からサーバに向けて送信する送信ステップと、チャンネル情報に応じて前記放送局から放送されている信号を、サーバで受信して保存する保存ステップとを有する。【選択図】        図２
2004248211.tif 000002
【特許請求の範囲】
【請求項１】
所定のチャンネルを用いて放送されている信号を受信して再生する移動体通信端末と、前記放送局から放送されている信号を受信して保存することができるサーバとを用いた移動体通信方法において、
前記移動体通信端末が前記放送局から受信した信号を再生している間に、前記移動体通信端末の電池が所定の蓄積量を下回ったことを、前記移動体通信端末で検出する検出ステップと、
この検出ステップに応じて、前記移動体通信端末の受信しているチャンネルを示すチャンネル情報を、前記移動体通信端末から前記サーバに向けて送信する送信ステップと、
前記チャンネル情報に応じて前記放送局から放送されている信号を、前記サーバで受信して保存する保存ステップとを有することを特徴とする移動体通信方法。
【請求項２】
請求項１記載の通信方法において、
前記放送局は所定の時間毎に、異なる番組を放送するものであり、
前記移動体通信端末が受信している番組の放送終了時刻を記憶している放送時刻記憶装置または前記放送局から送信された、前記放送終了時刻を示す放送終了時刻情報を前記サーバで受信する受信ステップを有し、
前記放送終了時刻まで、前記放送局から放送される信号を、前記サーバで受信して保存することを特徴とする移動体通信方法。
【請求項３】
請求項１または２記載の移動体通信方法において、
前記送信ステップの替わりに、
前記検出ステップに応じて、前記移動体通信端末に設けられた入力装置からの入力信号を待受ける入力待受ステップと、
この入力信号に応じて、前記移動体通信端末の受信しているチャンネルを示すチャンネル情報を、前記移動体通信端末から前記サーバに向けて送信する送信ステップとを有することを特徴とする移動体通信方法。
【請求項４】
所定の放送局から所定のチャンネルを用いて放送される信号を受信して再生できる移動体通信端末において、
前記信号を再生している間に、当該移動体通信端末の電池が、所定の蓄積量を下回ったことを検出する検出手段と、
この検出結果に応じて、前記移動体通信端末が受信しているチャンネルを示すチャンネル情報を、前記放送局から放送している信号を受信して保存できるサーバに対して送信する送信手段とを備えることを特徴とする移動体通信端末。
【請求項５】
請求項４記載の移動体通信端末において、
前記送信手段の替わりに、
前記検出結果に応じて、前記移動体通信端末に設けられた入力装置からの入力信号を待受ける入力待受け手段と、
前記入力信号に応じて、前記移動体通信端末の受信しているチャンネルを示すチャンネル情報を、前記移動体通信端末から前記サーバに向けて送信する送信手段とを備えることを特徴とする移動体通信端末。
【発明の詳細な説明】
【０００１】
【発明の属する技術分野】
この発明は、放送局から放送される信号を受信して再生する移動体通信端末を有した移動体通信方法および移動体通信端末に関するものである。
【０００２】
【従来の技術】
従来、下記の文献に記載された技術があった。この文献に記載された技術の内容を以下に説明する。
【０００３】
その従来技術の課題は、端末機のユーザ側の都合に合わせて自由な時間、順序でコンテンツの配信を受けるというものである。
【０００４】
その従来技術の課題の解決手段は、端末機と、この端末機とネットワークを介して接続され、端末機からの配信要求に応じてコンテンツを配信するサーバ装置とを有するコンテンツ配信システムであって、端末機は、サーバ装置から与えられるコンテンツメニューにより、配信を受ける複数のコンテンツとその配信順序を指定してサーバ装置に予め登録し、サーバ装置は、端末機からの配信要求に応じて、予め登録してある複数のコンテンツを登録時に指定された順序にしたがって端末機に配信する、というものである。
【０００５】
【特許文献１】
特開２００２−３１２２７６号公報
【０００６】
【発明が解決しようとする課題】
しかし、この技術では、移動体通信端末で放送局から受信した信号を再生している間に、移動体通信端末の電源が切断されると、その移動体通信端末を使用しているユーザは、切断時以降の再生内容を、視聴することができなくなる。
【０００７】
そこで、この発明は、移動体通信端末でコンテンツデータを再生中に、移動体通信端末の電源が切断されてしまった場合に、切断時以降の再生内容をその移動体通信端末のユーザが見ることができるようにすることを目的とする。
【０００８】
【課題を解決するための手段】
この発明は、所定のチャンネルを用いて放送されている信号を受信して再生する移動体通信端末と、前記放送局から放送されている信号を受信して保存することができるサーバとを用いた移動体通信方法において、前記移動体通信端末が前記放送局から受信した信号を再生している間に、前記移動体通信端末の電池が所定の蓄積量を下回ったことを、前記移動体通信端末で検出する検出ステップと、この検出ステップに応じて、前記移動体通信端末の受信しているチャンネルを示すチャンネル情報を、前記移動体通信端末から前記サーバに向けて送信する送信ステップと、前記チャンネル情報に応じて前記放送局から放送されている信号を、前記サーバで受信して保存する保存ステップとを有する移動体通信方法である。
また、所定の放送局から所定のチャンネルを用いて放送される信号を受信して再生できる移動体通信端末において、前記信号を再生している間に、当該移動体通信端末の電池が、所定の蓄積量を下回ったことを検出する検出手段と、この検出結果に応じて、前記移動体通信端末が受信しているチャンネルを示すチャンネル情報を、前記放送局から放送している信号を受信して保存できるサーバに対して送信する送信手段とを備える移動体通信端末である。
【０００９】
【発明の実施の形態】
実施の形態１．
実施の形態１の通信システム１０において、携帯電話機（移動体通信端末）２０は、所定の通信事業者が設置した基地局３０との間に無線通信回線を確立できると共に、複数のＴＶやラジオの放送局から任意の放送局４０を選択して、この放送局４０から放送される無線信号を受信して再生できる。また、携帯電話機２０は、入力キー（入力装置）２１等からの入力信号を受信すると共に、表示装置２３等の出力装置を制御する入出力制御装置（入力待受け手段）２５が、無線信号を送受信する送受信装置２７と電気的に接続されている。
【００１０】
また、基地局３０は、その通信事業者またはその他の通信事業者によって構築された移動体通信用ネットワークを始め、ＰＳＴＮ（Ｐｕｂｌｉｃ  Ｓｗｉｔｃｈｅｄ  Ｔｅｌｅｐｈｏｎｅ  Ｎｅｔｗｏｒｋ）、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）等の各種ネットワークが融合された広域通信ネットワーク５０と接続されている。また、放送局４０は、広域通信ネットワーク５０を介して他の通信端末と信号を送受信可能となるように接続されている。
【００１１】
また、図において、広域通信ネットワーク５０には、放送局４０から放送されている信号を受信して保存できるビデオサーバ６０が接続されると共に、各種の放送局から所定の時間に放送されるデータ（以下、「番組」という）の放送開始時刻および放送終了時刻を記憶する放送時刻記憶装置７０とが接続されている。
【００１２】
ビデオサーバ６０について説明する。
この実施の形態のビデオサーバ６０は、広域通信ネットワーク５０を介して放送局４０から放送する信号をデジタルデータで配信を受けることができる。また、ビデオサーバ６０は、放送局４０から配信される信号を受信するコンピュータ６２と、受信した信号を保存する記憶装置６４とから構成される。なお、ここで、ビデオサーバ６０は、広域通信ネットワーク５０を介して放送局４０から配信を受けることにしている。しかし、ビデオサーバ６０は、放送局４０から直接番組の無線信号を受信する構成であっても良い。また、この実施の形態のビデオサーバ６０は、このビデオサーバ６０を使用する携帯電話機を認識するための処理（以下、「ユーザ認証処理」という）を行う。したがって、複数の携帯電話機がこのビデオサーバ６０を使用した場合に、ビデオサーバ６０は、各携帯電話機に対して、使用状況に応じた料金を請求できる。
【００１３】
実施の形態１の通信システムの動作について、図２、３に基づいて説明する。
図２は、ビデオサーバ６０が放送局４０から配信を受ける時における、携帯電話機２０で動作するプログラムと、ビデオサーバ６０で動作するプログラムとを関連付けて表す図である。
携帯電話機２０は、定期的に電池の蓄積量を確認している（Ｋ２０１、Ｋ２０２）。この確認の結果、蓄積量が、放送局４０から番組を受信して再生するために必要な蓄積量を満足している場合は、このステップ（Ｋ２０１、Ｋ２０２）を繰り返す。一方、蓄積量が、放送局４０から番組を受信して再生するために必要な蓄積量に不足している場合は次のステップ（Ｋ２０３）に進む。
【００１４】
このステップでは、携帯電話機２０がビデオサーバ６０に認識されていない状態から認識されている状態になる（以下、「ログインする」という）ように要求する信号（以下、「ログイン要求信号」という）を、携帯電話機２０がビデオサーバ６０へ送る（Ｋ２０３）。ビデオサーバ６０はログイン要求信号を受信し（Ｖ２０１）、ユーザ認証処理を行う（Ｖ２０２）。
【００１５】
ユーザ認証処理の後、ビデオサーバ６０は、携帯電話機２０にログイン要求信号を受け付けた旨の信号（以下、「ログイン要求受付信号」という）を送信する（Ｖ２０３）。携帯電話機２０はログイン要求受付信号を受信し（Ｋ２０４）、この携帯電話機２０のユーザに視聴されている番組を録画する信号（以下、「録画要求信号」という）をビデオサーバ６０へ送信する（Ｋ２０５）。なお、録画要求信号は、携帯電話機２０に受信されていたチャンネルを示すチャンネル情報を含んでいる。したがって、ビデオサーバ６０は、携帯電話機２０のユーザに視聴されている番組を識別できる。
【００１６】
ビデオサーバ６０は録画要求信号を受信し（Ｖ２０４）、ユーザが視聴していた番組を識別する。そして、識別された番組の放送終了時刻を示す放送終了時刻情報を、放送時刻記憶装置７０から受信し、把握しておく（Ｖ２０５）。ビデオサーバ６０は、放送局４０に、ビデオサーバ６０で識別したチャンネルの信号を配信するように要求する（Ｖ２０６）。
【００１７】
そして、ビデオサーバ６０は、その時点から番組の終了時刻まで、識別したチャンネルの信号を受信して録画し（Ｖ２０７）、録画したこと示す信号（以下、「録画開始通知」という）を携帯電話機２０に送信する（Ｖ２０８）。
携帯電話機２０は、録画開始通知を受信して、ビデオサーバ６０に録画データが蓄積されたことを表示装置２３に表示する。また、録画開始通知後、携帯電話機２０がビデオサーバに認識されている状態から認識されていない状態になる（以下、「ログアウトする」という）ように要求する信号（以下、「ログアウト要求信号」という）を、携帯電話機２０が、ビデオサーバ６０に送信する（Ｖ２０９）。
【００１８】
ビデオサーバ６０は、ログアウト要求信号を携帯電話機２０から受信し（Ｖ２０９）、ログアウト要求を受けつけた信号（以下、「ログアウト要求受付信号」という）を携帯電話機２０へ送信する（Ｖ２１０）と共に、録画終了時刻まで、携帯電話機２０のユーザが視聴していたチャンネルの信号を受信して保存して（Ｖ２１１）、ビデオサーバ６０のプログラムを終了する。一方、携帯電話機２０は、ログアウト要求受付信号を受信し（Ｋ２０９）、携帯電話機２０のプログラムを終了する。
【００１９】
携帯電話機２０のユーザが、ビデオサーバ６０に蓄積している録画データを視聴する場合における、携帯電話機２０とビデオサーバ６０との動作を図３に基づいて説明する。
図３は、携帯電話機２０が、ビデオサーバ６０から録画データを受信して再生する時における、携帯電話機２０で動作するプログラムと、ビデオサーバ６０で動作するプログラムとを関連付けて表す図である。
携帯電話機２０がキー操作されることによって（Ｋ３０１）、携帯電話機２０からビデオサーバ６０にログイン要求信号を送信する（Ｋ３０２）。ビデオサーバ６０は、ログイン要求信号を受信し（Ｖ３０１）、ユーザ認証を行い（Ｖ３０２）、ログイン要求受付信号を携帯電話機２０へ送信する（Ｖ３０３）。携帯電話機２０は、ログイン要求受付信号を受信し（Ｋ３０３）、ビデオサーバ６０に蓄積されている録画データのリストを要求する信号（以下、「録画データリスト要求信号」という）を、携帯電話機２０からビデオサーバ６０へ送信する（Ｋ３０４）。
【００２０】
ビデオサーバ６０は録画データリスト要求信号を受信し（Ｖ３０４）、録画データリストを携帯電話機２０へ送信する（Ｖ３０５）。携帯電話機２０は録画データリストを受信し、携帯電話機２０のユーザに再生番組を選択させる情報を表示装置２３に表示する（Ｋ３０６）。携帯電話機２０において再生する番組が選択され（Ｋ３０７）、選択した番組を再生するよう要求する信号（以下、「番組再生要求信号」という）をビデオサーバ６０へ送信する（Ｋ３０８）。
【００２１】
ビデオサーバ６０は番組再生要求信号を受信し（Ｖ３０６）、番組の録画データを携帯電話機２０へ送信する（Ｖ３０７）。そして、要求されたリストの録画データがビデオサーバ６０内に存在する場合は繰り返し録画データを携帯電話機２０へ送信し（Ｖ３０８）、要求されたリストの録画データが無くなったときに、携帯電話機２０への録画データの送信処理が終了する。（Ｖ３０９）
【００２２】
一方、携帯電話機２０は、ビデオサーバ６０から送信される録画データを受信し（Ｋ３０９）、受信した録画データを再生する（Ｋ３１０）。そして、受信する録画データが終了するまで、録画データを繰り返し受信し、再生する（Ｋ３１０、Ｋ３１１）。また、録画データの受信が終了した場合に、番組の再生が終了した旨を表示装置２３に表示し（Ｋ３１２）、ログアウト要求信号をビデオサーバ６０へ送信する（Ｋ３１３）。
【００２３】
また、ビデオサーバ６０は、ログアウト要求信号を受信し（Ｖ３１０）、ログアウト要求受付信号を携帯電話機２０へ送信し（Ｖ３１１）、ビデオサーバ６０のプログラムは終了する。
一方、携帯電話機２０は、ログアウト要求受付信号を受信し（Ｋ３１４）、携帯電話機２０のプログラムを終了する。
【００２４】
実施の形態１の効果を説明する。
この実施の形態は、所定のチャンネルを用いて信号を放送する放送局４０と、放送局４０から放送されている信号を受信して再生できる移動体通信端末（携帯電話機）２０と、放送局４０から放送されている信号を受信して保存することができるサーバ（ビデオサーバ）６０とを用いた通信方法において、移動体通信端末（携帯電話機）２０が放送局４０から受信した信号を再生している間に、移動体通信端末（携帯電話機）２０の電池が所定の量を下回ったことを、移動体通信端末（携帯電話機）２０で検出する検出ステップと、この検出ステップに応じて、放送局４０の用いるチャンネルを示すチャンネル情報を、移動体通信端末（携帯電話機）２０からサーバ（ビデオサーバ）６０に向けて送信する送信ステップと、チャンネル情報に応じて放送局４０から放送されている信号を、サーバ（ビデオサーバ）６０で受信して保存する保存ステップとを有する通信方法である。
【００２５】
したがって、移動体通信端末が、放送局から受信した信号を受信した信号を再生している間に、移動体通信端末の電池が少なくなり、信号を受信して再生することができなくなっても、その移動体通信端末のユーザは、後でその信号を再生して視聴することができる。
【００２６】
また、放送局４０は所定の時間毎に、異なる番組を放送するものであり、放送局４０から放送されている番組の放送終了時刻を記憶している放送時刻記憶装置７０から送信された、前記放送終了時刻を示す放送終了時刻情報を前記サーバで受信する受信ステップを有し、放送終了時刻まで、放送局４０から放送される信号を、前記サーバ（ビデオサーバ）６０で受信して保存する移動体通信方法である。
【００２７】
したがって、サーバ（ビデオサーバ）６０は、ユーザが視聴したいデータを蓄積しておくとともに、サーバ６０に保存しておくデータ容量を削減することができる。
【００２８】
また、所定の放送局４０から所定のチャンネルを用いて放送される信号を受信して再生できる移動体通信端末（携帯電話機）２０において、前記信号を再生している間に、当該移動体通信端末（携帯電話機）２０の電池が、所定の量を下回ったことを検出する検出手段と、この検出結果に応じて、放送局４０の用いるチャンネルを示すチャンネル情報を、放送局４０からの信号を受信して保存することができるサーバ（ビデオサーバ）６０に対して送信する送信手段とを備える移動体通信端末である。
【００２９】
したがって、移動体通信端末が、放送局から受信した信号を再生している間に、移動体通信端末の電池が少なくなり、信号を受信して再生することができなくなっても、その移動体通信端末のユーザは、後でそのデータの続きをサーバを利用して視聴できる。
なお、この実施の形態では、放送時刻情報を放送時刻記憶装置７０から送信することにしているが、放送時刻情報を放送局４０から送信することにしても、実施の形態１と同様の効果を得られることはいうまでもない。
【００３０】
実施の形態２．
実施の形態１では、携帯電話機２０が、電池残量が少なくなったことを検出した場合（Ｋ２０２）、自動的にログイン要求信号をビデオサーバ６０に送信していた（Ｋ２０３）が、この実施の形態では、携帯電話機２０が、電池残量の不足を検出した後、電池残量が不足していることを携帯電話機２０に設けられた表示装置２３に表示し、この表示を見た携帯電話機２０のユーザが、現在携帯電話機２０で再生している番組を録画するか否かを確認する。そして、この確認の結果、そのユーザによる入力キー２１からの入力信号が、その番組を録画する旨の信号である場合に、携帯電話機２０は、ログイン要求信号をビデオサーバ６０に向けて送信する。
【００３１】
この実施の形態２の効果を説明する。
この実施の形態は、移動体通信端末（携帯電話機）２０の電池が所定の量を下回ったことを、移動体通信端末（携帯電話機）２０で検出した場合に、移動体通信端末（携帯電話機）２０に設けられた入力装置（入力キー）２１からの入力信号を待受ける入力待受ステップと、この入力信号に応じて、移動体通信端末（携帯電話機）２０の受信しているチャンネルを示すチャンネル情報を、移動体通信端末（携帯電話機）２０からサーバ（ビデオサーバ）６０に向けて送信する送信ステップとを有する移動体通信方法である。
【００３２】
したがって、サーバ（ビデオサーバ）６０は、ユーザが視聴したいデータを蓄積しておくとともに、サーバ（ビデオサーバ）６０に保存しておくデータ容量を削減することができ、サーバ（ビデオサーバ）６０の記憶容量を効率的にすることができる。
【００３３】
移動体通信端末（携帯電話機）２０の電池が所定の量を下回ったことを、移動体通信端末（携帯電話機）２０で検出した場合に、前記移動体通信端末（携帯電話機）２０に設けられた入力装置からの入力信号を待受ける入出力制御装置（入力待受け手段）と、前記入力信号に応じて、移動体通信端末（携帯電話機）２０の受信しているチャンネルを示すチャンネル情報を、前記移動体通信端末（携帯電話機）２０からサーバ（ビデオサーバ）６０に向けて送信する送信ステップとを備える移動体通信端末である。
【００３４】
したがって、サーバ（ビデオサーバ）６０は、ユーザが視聴したいデータを蓄積しておくとともに、サーバ（ビデオサーバ）６０に保存しておくデータ容量を削減することができ、サーバ（ビデオサーバ）６０の記憶容量を効率的にすることができる。
【００３５】
【発明の効果】
この発明は、所定のチャンネルを用いて信号を放送する放送局と、この放送局から放送されている信号を受信して再生できる移動体通信端末と、前記放送局から放送されている信号を受信して保存することができるサーバとを用いた通信方法において、前記移動体通信端末が前記放送局から受信した信号を再生している間に、前記移動体通信端末の電池が所定の量を下回ったことを、前記移動体通信端末で検出する検出ステップと、この検出ステップに応じて、前記放送局の用いるチャンネルを示すチャンネル情報を、前記移動体通信端末から前記サーバに向けて送信する送信ステップと、前記チャンネル情報に応じて前記放送局から放送されている信号を、前記サーバで受信して保存する保存ステップとを有する通信方法である。
【００３６】
したがって、移動体通信端末が信号を受信して再生している間に、移動体通信端末の電池が少なくなり、データを再生できなくなっても、その移動体通信端末のユーザは、後でそのデータを再生することができる。
【００３７】
また、所定の放送局から所定のチャンネルを用いて放送される信号を受信して再生できる移動体通信端末において、前記信号を再生している間に、当該移動体通信端末の電池が、所定の量を下回ったことを検出する検出手段と、この検出結果に応じて、前記放送局の用いるチャンネルを示すチャンネル情報を、前記放送局からの信号を受信して保存することができるサーバに対して送信する送信手段とを備える移動体通信端末である。
【００３８】
したがって、移動体通信端末が信号を受信して再生している間に、移動体通信端末の電池が少なくなり、データを再生できなくなっても、その移動体通信端末のユーザは、後でそのデータの続きをサーバを利用して視聴できる。
【図面の簡単な説明】
【図１】実施の形態１の通信システムの構成図である。
【図２】実施の形態１の、録画時のフローチャート図である。
【図３】実施の形態１の、再生時のフローチャート図である。
【符号の簡単な説明】
１０：通信システム
２０：移動体通信端末（携帯電話機）
２１：入力キー（入力装置）
２５：入出力制御装置（入力待受け手段）
６０：サーバ（ビデオサーバ）
７０：放送時刻記憶装置
【図１】
2004248211.tif 000003
【図２】
2004248211.tif 000004
【図３】
2004248211.tif 000005